(57)【特許請求の範囲】
【請求項１】
圧電材料と導電材料とが混合された高分子材料により形成され、厚みが０．１〜５ｍｍ（ただし、０．１ｍｍを除く）の制振層がタイヤ内表面に配置されていることを特徴とする空気入りタイヤ。
【請求項２】
前記制振層の幅は、タイヤ接地幅の５０〜１２０％であることを特徴とする請求項１に記載の空気入りタイヤ。
【請求項３】
前記制振層は、タイヤ周方向又はタイヤ幅方向に分割されていることを特徴とする請求項１又は２に記載の空気入りタイヤ。
【請求項４】
前記制振層は、タイヤ内周面に貼り付けられていることを特徴とする請求項１〜３のいずれか１項に記載の空気入りタイヤ。
【発明の詳細な説明】
【技術分野】
【０００１】
本発明は、空洞共鳴音を低減し得る空気入りタイヤに関するものである。
【背景技術】
【０００２】
車両が荒れた路面を走行したり、路面の継ぎ目を乗り越えたりすると、車内にロードノイズと呼ばれる騒音が発生することがある。ロードノイズは、タイヤが関係する騒音の一つであり、路面の凹凸が入力となってタイヤが加振されると、その振動によってタイヤ内部での空洞共鳴音が励起され、車内での騒音を引き起こす。
【０００３】
下記の特許文献１には、ロードノイズを低減する目的で、リムと空気入りタイヤとで囲まれるタイヤ内腔にスポンジ材からなる制音材を配した空気入りタイヤが記載されている。しかしながら、このようなスポンジ材をタイヤ全周に亘って配置すると、スポンジ材とタイヤ内表面との間に熱がこもり、耐久性に悪影響を及ぼすおそれがある。また、タイヤ内表面にスポンジ材があると、タイヤがパンクした際にパンク修理剤を使用することが困難である。
【０００４】
下記の特許文献２には、互いに電気的に接続された二つの圧電素子を含む少なくとも一つの圧電素子ユニットを備え、各圧電素子はトレッド部のタイヤ周方向に異なる位置に埋設され、トレッド部の変形により一方の圧電素子が変形して電圧を発生すると、当該電圧が他方の圧電素子に与えられ、当該他方の圧電素子が変形する静音タイヤが記載されている。特許文献２のタイヤによれば、当該他方の圧電素子周辺でタイヤ内部の断面積が変化することになるので、トレッド部の変形により発生する圧力波の共鳴を抑制して、空洞共鳴音を低減することができる。しかしながら、特許文献２のタイヤは、トレッド部に圧電素子が埋設されているため、耐久性が悪化するおそれがある。
【先行技術文献】
【特許文献】
【０００５】
【特許文献１】特許第４３３０５５０号公報
【特許文献２】特開２００６−２４０４２３号公報
【発明の概要】
【発明が解決しようとする課題】
【０００６】
そこで、本発明の目的は、耐久性を低下させることなく、空洞共鳴音を低減できる空気入りタイヤを提供することにある。
【課題を解決するための手段】
【０００７】
上記目的は、下記の如き本発明により達成できる。      
即ち、本発明の空気入りタイヤは、圧電材料と導電材料とが混合された高分子材料により形成された制振層がタイヤ内表面に配置されているものである。
【０００８】
上記目的を解決するために、本発明者らは、鋭意研究を重ねたところ、タイヤ内表面の振動を抑えることで、タイヤ内の空気振動を抑制し、空洞共鳴音を効果的に低減することが可能であることを見出した。本発明はかかる知見に基づいてなされたものであり、制振層をタイヤ内表面に配置することで、タイヤ内表面の振動を直接的に抑え、タイヤ内の空気振動を抑制して空洞共鳴音を低減することができる。本発明の制振層は、圧電材料と導電材料とが混合された高分子材料により形成されているため、タイヤ内表面の振動エネルギーを圧電材料によって電気エネルギーに変換し、次いで、電気エネルギーを導電材料によって熱エネルギーに変換することにより、タイヤ内表面の振動を減衰させる。また、タイヤ内表面を構成するインナーライナーゴムと相性のよい高分子材料を用いることで、制振層とタイヤ内表面との間に熱がこもって耐久性が悪化するのを防止できる。
【０００９】
本発明に係る空気入りタイヤにおいて、前記制振層の幅は、タイヤ接地幅の５０〜１２０％であることが好ましい。
【００１０】
制振層の幅がこの範囲であれば、制振層によりタイヤ内表面の振動を効果的に抑えつつ、制振層によるタイヤ重量の増加を抑制できる。
【００１１】
本発明に係る空気入りタイヤにおいて、前記制振層は、タイヤ周方向又はタイヤ幅方向に分割されていることが好ましい。
【００１２】
制振層をタイヤ周方向又はタイヤ幅方向に分割することで、タイヤの変形に追従しやすくなるため、制振層がタイヤ内表面から剥離するのを防止できる。
【００１３】
本発明に係る空気入りタイヤにおいて、前記制振層は、タイヤ内周面に貼り付けられていることが好ましい。
【００１４】
この構成によれば、加硫成形後のタイヤに容易に制振層を適用して空洞共鳴音を低減できる。
【図面の簡単な説明】
【００１５】
【図１】本発明の空気入りタイヤの一例を示すタイヤ子午線断面図
【図２】空気入りタイヤのタイヤ子午線断面図
【図３Ａ】他の実施形態に係る空気入りタイヤのタイヤ子午線断面図
【図３Ｂ】他の実施形態に係る空気入りタイヤのタイヤ子午線断面図
【図３Ｃ】他の実施形態に係る空気入りタイヤのタイヤ子午線断面図
【図３Ｄ】他の実施形態に係る空気入りタイヤのタイヤ子午線断面図
【図３Ｅ】他の実施形態に係る空気入りタイヤのタイヤ子午線断面図
【発明を実施するための形態】
【００１６】
以下、本発明の実施の形態について、図面を参照しながら説明する。図１及び図２は、空気入りタイヤの一例を示すタイヤ子午線断面図である。なお、図１では、空気入りタイヤの内表面も示されている。
【００１７】
空気入りタイヤ１は、図１及び図２に示されるように、一対の環状のビード部１１と、そのビード部１１の各々からタイヤ径方向外側に延びるサイドウォール部１２と、そのサイドウォール部１２の各々のタイヤ径方向外側端に連なるトレッド部１３とを備えている。
【００１８】
空気入りタイヤ１は、タイヤ内表面１ａにシート状の制振層２が配置されている。より具体的には、制振層２は、インナーライナーゴムの表面に隣接して配置されている。インナーライナーゴムは、不図示のカーカスプライの内周側に設けられてタイヤ内表面１ａを構成する。インナーライナーゴムは、空気圧を保持するために設けられ、気体の透過を阻止する機能に優れたゴムで形成されている。
【００１９】
制振層２は、圧電材料と導電材料とが混合された高分子材料により形成されている。制振層２は、タイヤ内表面１ａの振動エネルギーを圧電材料の圧電効果によって電気エネルギーに変換し、次いで、電気エネルギーを導電材料によって熱エネルギーに変換することにより、タイヤ内表面１ａの振動を減衰させることができる。その結果、タイヤ内の空気振動を抑制し、空洞共鳴音を低減することができる。本発明の制振層２は、空洞共鳴音の原因となる１５０〜３００Ｈｚ、特に１９０〜２５０Ｈｚの周波数の振動に対して制振作用を発揮するように圧電材料、導電材料、及び高分子材料の配合が調整されている。
【００２０】
圧電材料としては、圧電効果を示す従来公知の圧電材料を適宜用いることができる。圧電材料としては、ペロブスカイト型結晶構造やタングステン−青銅構造を持つセラミックス、チタン酸バリウム、チタン酸鉛、チタン酸ジルコン酸鉛、チタン酸ジルコン酸ランタン鉛、ニオブ酸カリウム、ニオブ酸リチウム、タンタル酸リチウム、タングステン酸ナトリウム、酸化亜鉛、ニオブ酸ナトリウムカリウム、ビスマスフェライト、ニオブ酸ナトリウム、チタン酸ビスマス、チタン酸ビスマスナトリウム、ポリフッ化ビニリデン、窒化アルミニウム、リン酸ガリウム、ガリウム砒素が例示される。
【００２１】
導電材料としては、電気抵抗が比較的大きく、電流を流したときにジュール熱を発生するものであれば、従来公知の導電材料を適宜用いることができる。導電材料としては、金属系の銅、銀、金、亜鉛、アルミニウム、ニッケル、金属酸化物系の酸化錫、酸化インジウム、酸化亜鉛、金属被覆系の導電性フィラー、カーボン系のカーボンブラック等が例示される。
【００２２】
高分子材料としては、ゴム、樹脂が例示される。ただし、高分子材料としては、タイヤ内表面１ａを構成するインナーライナーゴムと相性のよいゴムを用いることが好ましい。
【００２３】
制振層２は、タイヤ内表面１ａに貼り付けられていることが好ましい。加硫成形後のタイヤ内表面１ａに制振層２を貼り付ける場合には、貼り付ける領域に塗布されている離型剤を除去する必要がある。離型剤を除去する方法としては、界面活性剤や有機溶剤（トルエン等）を用いた拭き取り、バフ処理、レーザ処理、コロナ処理、プラズマ処理等が挙げられる。また、制振層２の貼り付けには、接着剤又は粘着テープが用いられる。
【００２４】
制振層２は、そのボリュームが大きいほど制振効果が高くなる。制振層２の厚みは、０．１〜５ｍｍが好ましく、１〜２ｍｍがより好ましい。制振層２の厚みを０．１ｍｍよりも薄くすると、制振層２による空洞共鳴音の低減効果が小さくなる。一方、制振層２の厚みを５ｍｍよりも厚くすると、タイヤ重量の増加により燃費性能が悪化する傾向にある。また、制振層２は、全体の厚みを大きくするために２枚以上を重ねて配置されてもよい。
【００２５】
制振層２は、空洞共鳴音を最大限低減する観点からは、タイヤ内表面１ａの全面に配置されてもよい。ただし、制振層２のタイヤ幅方向の幅ｗ２は、タイヤ接地幅ｗ１の５０〜１２０％であることが好ましく、８０〜１００％であることがより好ましい。制振層２の幅ｗ２をタイヤ接地幅ｗ１の５０％より狭くすると、制振層２による空洞共鳴音の低減効果が小さくなる。一方、制振層２の幅ｗ２をタイヤ接地幅ｗ１の１２０％より広くすると、制振層２がサイドウォール部１２に達するため、接地の際に変形が大きいサイドウォール部１２の内表面から制振層２が剥離するおそれがある。また、制振層２の幅ｗ２をタイヤ接地幅ｗ１の１２０％より広くすると、タイヤ重量やコストの増加に繋がる。
【００２６】
本実施形態の制振層２は、タイヤ周方向及びタイヤ幅方向に連続しているが、制振層２は、タイヤ周方向又はタイヤ幅方向に分割されていることが好ましい。制振層２をタイヤ周方向又はタイヤ幅方向に分割することで、タイヤの変形に追従しやすくなるため、制振層２がタイヤ内表面から剥離するのを防止できる。
【００２７】
図３Ａは、制振層２がタイヤ周方向に分割されている例を示す。図３Ｂは、制振層２がタイヤ幅方向に分割されている例を示す。図３Ｃは、制振層２がタイヤ周方向及びタイヤ幅方向に分割されている例を示す。
【００２８】
また、空洞共鳴音を最大限低減する観点から、分割された制振層２は隙間なく配置されるほうが好ましい。図３Ｄは、タイヤ周方向に分割された制振層２が隙間なく並べられている例を示す。図３Ｅは、タイヤ幅方向に分割された制振層２が隙間なく並べられている例を示す。なお、タイヤ周方向及びタイヤ幅方向に分割された制振層２を隙間なく並べてもよい。
【実施例】
【００２９】
以下、本発明の構成と効果を具体的に示す実施例等について説明する。なお、実施例等における評価項目は下記のようにして測定を行った。
【００３０】
ノイズ計測
タイヤサイズ１９５／６５Ｒ１５の空気入りタイヤを、凹凸路面を備えたドラムで６０ｋｍ／ｈにて走行させた際の音圧レベル（ｄＢ）を計測した。評価は、比較例１を１００としたときの指数で示し、数値が小さいほど空洞共鳴音が小さいことを示す。評価結果を表１に示す。
【００３１】
比較例１
タイヤ内表面に何も設けないものを比較例１とした。
【００３２】
比較例２
タイヤ内表面にシート状のゴムを配置したものを比較例２とした。比較例２のシート状ゴムは、圧電材料及び導電材料を含まず、またタイヤ周方向及びタイヤ幅方向に分割されていない。また、シート状ゴムの厚みは２ｍｍとした。
【００３３】
実施例１
タイヤ内表面に本発明の制振層を配置したものを実施例１とした。実施例１の制振層は、タイヤ周方向及びタイヤ幅方向に分割されていない（図１参照）。また、制振層の厚みは１ｍｍとした。このとき、制振層の体積は、比較例２のゴム層の体積を１００とすると５０であった。
【００３４】
実施例２
タイヤ内表面に本発明の制振層を配置したものを実施例２とした。実施例２の制振層は、タイヤ周方向及びタイヤ幅方向に分割されていない（図１参照）。また、制振層の厚みは２ｍｍとした。このとき、制振層の体積は、比較例２のゴム層の体積を１００とすると１００であった。
【００３５】
実施例３
タイヤ内表面に本発明の制振層を配置したものを実施例３とした。実施例３の制振層は、タイヤ周方向に分割されている（図３Ａ参照）。また、制振層の厚みは２ｍｍとした。このとき、制振層の体積は、比較例２のゴム層の体積を１００とすると９４であった。
【００３６】
実施例４
タイヤ内表面に本発明の制振層を配置したものを実施例４とした。実施例４の制振層は、タイヤ幅方向に分割されている（図３Ｂ参照）。また、制振層の厚みは２ｍｍとした。このとき、制振層の体積は、比較例２のゴム層の体積を１００とすると８７であった。
【００３７】
実施例５
タイヤ内表面に本発明の制振層を配置したものを実施例５とした。実施例５の制振層は、タイヤ周方向及びタイヤ幅方向に分割されている（図３Ｃ参照）。また、制振層の厚みは２ｍｍとした。このとき、制振層の体積は、比較例２のゴム層の体積を１００とすると７６であった。
【００３８】
【表１】
0006562211.tif 000002
【００３９】
表１の結果から以下のことが分かる。実施例１〜５の空気入りタイヤは、比較例１と比べて、空洞共鳴音を低減できた。なお、比較例２の空気入りタイヤは、ゴムに圧電材料及び導電材料が含まれないため、空洞共鳴音がほとんど低減しなかった。
【符号の説明】
【００４０】
１      空気入りタイヤ
１ａ    タイヤ内表面
２      制振層
ｗ１      タイヤ接地幅
ｗ２      制振層の幅
【図１】
0006562211.tif 000003
【図２】
0006562211.tif 000004
【図３Ａ】
0006562211.tif 000005
【図３Ｂ】
0006562211.tif 000006
【図３Ｃ】
0006562211.tif 000007
【図３Ｄ】
0006562211.tif 000008
【図３Ｅ】
0006562211.tif 000009